(57)【要約】【課題】  外出先でＷＬＡＮシステム等に接続するためのＩＤやパスワードを、セキュリティ面での安全性も確保しつつ簡単且つ容易に設定可能とする。【解決手段】  放送システムの制御装置２１は、受信端末が特定されたＥＭＭパケット内にＷＬＡＮにアクセスするためのＥＳＳＩＤとパスワードを埋め込むと共に暗号化し、そのＥＭＭパケットを含むディジタル放送信号を放送装置２２から放送させる。携帯電話端末１は、ＩＣカードモジュール内に登録しているディジタル放送視聴用の秘密鍵情報を用いて、ディジタル放送信号から自端末を特定したＥＭＭパケットを抽出及び復号し、そのＥＭＭパケット内のＥＳＳＩＤとパスワードを取得する。そして携帯電話端末１は、そのＥＳＳＩＤとパスワードをＷＬＡＮモジュールに設定し、ＷＬＡＮアクセスポイント３３に接続する。【選択図】  図１
2009260579.tif 000002
【特許請求の範囲】
【請求項１】
放送信号を受信するための放送受信部と、
所望のシステムを利用するための処理を行うシステム処理部と、
上記放送受信部が受信した放送信号から自端末を特定した所定情報を抽出し、その所定情報内に埋め込まれている鍵情報を取得し、当該取得した鍵情報により、上記システム処理部が上記所望のシステムを利用するための設定を行う制御部と、
を有する移動体通信端末。
【請求項２】
自端末固有の秘密鍵を保持する秘密鍵保持部を有し、
上記放送信号の上記所定情報は、自端末固有の秘密鍵により暗号化されており、
上記制御部は、上記抽出した所定情報に施されている暗号化を上記秘密鍵保持部が保持している上記秘密鍵により復号する請求項１記載の移動体通信端末。
【請求項３】
受信端末が特定された所定情報内に所望のシステムを利用するための鍵情報を埋め込み、上記鍵情報が埋め込まれた所定情報を含む放送信号を放送する放送制御装置と、
上記放送制御装置により放送された放送信号から自端末を特定した所定情報を抽出し、その所定情報内に埋め込まれた鍵情報を取得し、当該取得した鍵情報により自端末が上記所望のシステムを利用するための設定を行う移動体通信端末と、
を有する情報送信設定システム。
【請求項４】
上記放送制御装置は、受信端末固有の秘密鍵により上記鍵情報が埋め込まれた所定情報を暗号化して、その暗号化された所定情報を含む放送信号を放送し、
上記移動体通信端末は、自端末固有の秘密鍵を保持し、上記抽出した所定情報に施された暗号化を当該自端末固有の秘密鍵により復号する請求項３記載の情報送信設定システム。
【請求項５】
放送制御装置が、受信端末が特定された所定情報内に所望のシステムを利用するための鍵情報を埋め込み、上記鍵情報が埋め込まれた所定情報を含む放送信号を放送するステップと、
移動体通信端末が、上記放送制御装置により放送された放送信号から自端末を特定した所定情報を抽出し、その所定情報内に埋め込まれた鍵情報を取得し、当該取得した鍵情報により自端末が上記所望のシステムを利用するための設定を行うステップと、
を有する情報送信設定方法。
【発明の詳細な説明】
【技術分野】
【０００１】
本発明は、例えば通信機能とディジタル放送受信機能とを備えた携帯電話端末等の移動体通信端末と、その移動体通信端末に所定の鍵情報等を送信する情報送信設定システム及び情報送信設定方法に関する。
【背景技術】
【０００２】
従来より、例えば無線ＬＡＮ（ＷＬＡＮ）等の通信機能を搭載している携帯電話端末等の移動体通信端末において、外出先などで例えば公衆ＷＬＡＮシステムを介した通信を行うような場合には、以下のような作業が必要となる。すなわち例えば、当該ＷＬＡＮシステムのアクセスポイントへ接続するためのＩＤ（ＥＳＳＩＤ：Extended Service Set ID）やパスワードを当該端末に設定する作業が必要である。それらＥＳＳＩＤやパスワードの設定は、通常、ユーザ自身が手作業等で入力することにより行われている。
【０００３】
なお、ＷＬＡＮシステムへの接続例とは異なるが、例えば特開２００５−２２９１５２号の公開特許公報（特許文献１）には、外出先等で別のディジタル放送受信装置によりディジタル放送の契約番組を視聴可能としたディジタル放送受信装置が開示されている。すなわちこの公報には、ディジタル放送の視聴契約者が携帯電話機を通じてサーバへ契約情報とワーク鍵を要求し、その要求に応じてサーバから送られてきた契約情報とワーク鍵を、当該携帯電話機から放送受信装置へ転送することが記載されている。これにより、その視聴契約者がディジタル放送視聴用のＩＣカード等を所持していなくても、外出先等で別のディジタル放送受信装置によりディジタル放送の契約番組を視聴可能となる。
【０００４】
【特許文献１】特開２００５−２２９１５２号公報（図３）
【発明の開示】
【発明が解決しようとする課題】
【０００５】
上述のように、移動体通信端末において、例えばＷＬＡＮ等の通信機能を用いて外出先で別の通信システム（公衆ＷＬＡＮシステム等）に接続するためには、該通信システムに接続するための鍵情報を入力する等の非常に煩わしい設定作業が必要となっている。なお、当該通信システムに接続するための鍵情報とは、前述のＥＳＳＩＤやパスワードパスワード等である。
【０００６】
なお、ＷＬＡＮのＥＳＳＩＤやパスワードを自動設定可能とするシステムとして、例えばＡＯＳＳ（AirStation One-Touch Secure System：登録商標）と呼ばれるシステムも存在している。但し、このシステムは家庭内の据え置き型通信端末を対象としたものであり、携帯電話端末等の移動体通信端末にて外出先で公衆ＷＬＡＮ等に接続する用途には対応していない。
【０００７】
本発明は、このような実情に鑑みて提案されたものであり、外出先等で別の通信システムに接続するための鍵情報を、ユーザによる手入力作業を必要とせず、セキュリティ面での安全性も確保しつつ簡単且つ容易に設定可能とする移動体通信端末、情報送信設定システム及び情報送信設定方法を提供することを目的とする。
【課題を解決するための手段】
【０００８】
本発明の移動体通信端末は、放送受信部とシステム処理部と制御部とを有してなる。放送受信部は放送信号を受信し、システム処理部は所望のシステムを利用するための処理を行う。また、制御部は放送受信部が受信した放送信号から自端末を特定した所定情報を抽出し、その所定情報内に埋め込まれている鍵情報を取得し、当該取得した鍵情報により、システム処理部が所望のシステムを利用するための設定を行う。これにより、本発明の移動体通信端末は、上述した課題を解決する。
【０００９】
また、本発明の情報送信設定システムは、放送制御装置と移動体通信端末とからなる。放送制御装置は、受信端末が特定された所定情報内に所望のシステムを利用するための鍵情報を埋め込み、その鍵情報が埋め込まれた所定情報を含む放送信号を放送する。移動体通信端末は、放送制御装置により放送された放送信号から自端末を特定した所定情報を抽出し、その所定情報内に埋め込まれた鍵情報を取得し、当該取得した鍵情報により自端末が所望のシステムを利用するための設定を行う。これにより、本発明の情報送信設定システムは、上述した課題を解決する。
【００１０】
また、本発明の情報送信設定方法では、放送制御装置が、受信端末が特定された所定情報内に所望のシステムを利用するための鍵情報を埋め込み、その鍵情報が埋め込まれた所定情報を含む放送信号を放送する。また、移動体通信端末が、放送信号から自端末を特定した所定情報を抽出し、その所定情報内に埋め込まれた鍵情報を取得し、当該取得した鍵情報により自端末が所望のシステムを利用するための設定を行う。これにより、本発明の情報送信方法は、上述した課題を解決する。
【００１１】
すなわち本発明によれば、移動体通信端末が所望のシステムを利用するための鍵情報を、その端末を受信端末として特定する所定情報内に埋め込んで放送信号として放送するようにしている。そして、移動体通信端末は、放送信号の中から自端末を特定する所定情報を抽出して、その中に埋め込まれている鍵情報を用いて所望のシステムを利用する。
【発明の効果】
【００１２】
本発明においては、移動体通信端末が所望のシステムを利用するための鍵情報を、その端末を受信端末として特定する所定情報内に埋め込んで放送信号として放送し、移動体通信端末では、その放送信号の中から自端末を特定する所定情報を抽出する。そして、移動体通信端末は、その中に埋め込まれている鍵情報を用いて所望のシステムを利用するようになされている。これにより、本発明では、外出先等で所望の通信システム（公衆ＷＬＡＮシステム等）に接続するためのＩＤやパスワード等を、ユーザによる手入力作業を必要とせず、また、セキュリティ面での安全性も確保しつつ簡単且つ容易に設定可能となる。
【発明を実施するための最良の形態】
【００１３】
以下、図面を参照しながら、本発明の一実施形態について説明する。
【００１４】
なお、本実施形態では、本発明の移動体通信端末の一例として携帯電話端末を挙げているが、勿論それはあくまで一例であり、本発明はこの例に限定されないことは言うまでもない。また、本実施形態では、携帯電話端末が外出先で接続する通信システムの一例として、公衆ＷＬＡＮシステムを例に挙げているが、通信システムは当該ＷＬＡＮシステムに限定されない。さらに本実施形態では、携帯電話端末に設定される情報として、外出先で公衆ＷＬＡＮシステムへ接続するためのアクセスキー（ＥＳＳＩＤとパスワード）を例に挙げている。勿論、本発明は、それら設定情報についても上記ＥＳＳＩＤやパスワードに限定されない。
【００１５】
〔システムの概略構成〕
図１には、本発明実施形態の情報送信設定システムの概略構成を示す。
【００１６】
この図１のシステム例は、ディジタル放送システムと、インターネット等のネットワーク及びそのネットワークに接続された他の装置や他のシステムと、本実施形態の携帯電話端末１とで構成されている。なお、携帯電話端末１が通話やデータ通信を行うための携帯電話システムや、インターネット等の外部ネットワークに接続される様々な装置やシステム等の図示は省略している。
【００１７】
図１において、外部ネットワーク３０はインターネット等であり、このネットワーク３０には様々なプロバイダ等の他システム３１やＷＬＡＮアクセスポイント３３、他システム３１用のデータベース３２等が接続されている。上記他システム３１には携帯電話端末１のユーザが加入しているプロバイダも含まれ、また、他システムデータベース３２には携帯電話端末１がＷＬＡＮアクセスポイント３３に接続する際に必要となるＥＳＳＩＤとパスワードも格納されている。なお、実際のシステム構成は複雑であるが、図１では当該システムの概略のみを示している。
【００１８】
ディジタル放送システムは、ディジタル放送信号を送信するためのディジタル放送装置２２と、当該ディジタル放送システムの全体を制御する制御装置２１と、ディジタル放送の契約者情報等を格納したユーザデータベース２３とを有する。そして、それらがシステム内ネットワーク２０により接続されている。本実施形態の場合、携帯電話端末１のユーザは、このディジタル放送システムにて放送されるディジタル放送の視聴者契約を結んでいるとする。
【００１９】
また詳細については後述するが、本実施形態の場合、当該ディジタル放送システムの制御装置２１は、携帯電話端末１がＷＬＡＮアクセスポイント３３に接続する際に必要なＥＳＳＩＤとパスワードを例えば外部ネットワーク３０を介して取得する。次いで、ディジタル放送システムの制御装置２１は、受信端末（この場合は携帯電話端末１）を特定した所定情報（例えば後述するＥＭＭパケット）内にそれらＥＳＳＩＤとパスワードを埋め込ませる。そして、ディジタル放送システムの制御装置２１は、それらを上記ディジタル放送装置２２から放送させる。なお、実際のディジタル放送システムの構成はさらに複雑であるが、図１では当該システムの概略のみを示している。
【００２０】
携帯電話端末１は、少なくともＷＬＡＮ通信機能とディジタル放送受信機能とを備えた端末である。また、携帯電話端末１には、ユーザが視聴契約しているディジタル放送の契約者情報及びディジタル放送信号のスクランブルを解くための秘密鍵情報の登録されたＩＣカードが内蔵若しくは装填されている。当該携帯電話端末１は、上記ＩＣカードに登録されている契約者情報及び秘密鍵情報を用い、上記ディジタル放送受信機能により、上記ディジタル放送装置２２から放送されている放送信号を受信及び復号化する。
【００２１】
また、本実施形態の携帯電話端末１は、例えば公衆ＷＬＡＮへ接続するためのＥＳＳＩＤとパスワード等が当該端末に設定された時には、上記ＷＬＡＮ通信機能により、ＷＬＡＮのアクセスポイント３３へ接続することができる。これにより、携帯電話端末１は、当該アクセスポイント３３を介してインターネット等の外部ネットワーク３０へ接続可能となる。
【００２２】
詳細については後述するが、本実施形態の場合、上記ＥＳＳＩＤとパスワードは、ディジタル放送信号内の所定パケットに埋め込まれて当該携帯電話端末１へ送られる。当該携帯電話端末１は、上記所定パケット内に埋め込まれているＥＳＳＩＤとパスワードを抽出可能となされており、ＷＬＡＮアクセスポイント３３へアクセスする際には、それら抽出したＥＳＳＩＤとパスワードを自端末に自動的に設定可能となされている。
【００２３】
なお、本実施形態の携帯電話端末１は、当然のことであるが、一般的な携帯電話端末が有する他の全ての機能についても備えている。
【００２４】
〔携帯電話端末の概略構成〕
図２には、本実施形態の携帯電話端末１の概略構成を示す。なお、図２には本発明に関連する構成要素のみを示しており、一般的な携帯電話端末が備えている他の構成の図示及び説明は省略する。
【００２５】
図２において、本実施形態の携帯電話端末は、ディジタル放送受信部１２、ＩＣカードモジュール１４、ＣＰＵ１０、ＷＬＡＮモジュール１１、ＲＡＭ１３及びＲＯＭ１５を有している。
【００２６】
上記ＩＣカードモジュール１４は、ＩＣカードと、データバスへのインターフェースとを有している。ＩＣカードには、ディジタル放送の契約者情報（ユーザの契約者情報）と、ディジタル放送信号のスクランブルを解くための受信端末（この場合は携帯電話端末）固有の秘密鍵情報とが予め格納されている。
【００２７】
ディジタル放送受信部１２は、ディジタル放送信号を受信するためのアンテナ及び回路部を有し、上記ＩＣカードモジュール１４のＩＣカードに登録されている契約者情報及び秘密鍵情報を用いて、ディジタル放送信号の受信及び復号化を行う。また、このディジタル放送受信部１２は、パケットフィルタ１９を有している。当該パケットフィルタ１９は、ディジタル放送信号から所定パケット（例えば後述するＥＭＭパケット）のみを抽出し、その抽出した所定パケットをＣＰＵ１０へ転送する。
【００２８】
ＷＬＡＮモジュール１１は、本発明実施形態の携帯電話端末において所望のシステムを利用するための各種処理を行うシステム処理部であり、具体的には図１のＷＬＡＮアクセスポイント３３等を通じてＷＬＡＮに接続するためのモジュールである。なお、ＷＬＡＮアクセスポイント３３に接続するためには、当該ＷＬＡＮモジュール１１にＥＳＳＩＤとパスワードを設定する必要がある。本実施形態の場合、これらＥＳＳＩＤとパスワードは、後述するようにＣＰＵ１０により自動設定可能となされている。
【００２９】
ＲＡＭ１３は、ＣＰＵ１０が一時バッファとして用する揮発性のメモリである。
【００３０】
ＲＯＭ１５は、少なくともＣＰＵ１０が実行する各種ソフトウェアプログラムが格納されている。本実施形態では、これらソフトウェアプログラムの一つとして、ディジタル放送信号の所定パケットに埋め込まれているＷＬＡＮのＥＳＳＩＤとパスワードを抽出し、それらをＷＬＡＮモジュール１１に自動設定するためのＷＬＡＮ自動設定プログラムも含まれている。すなわちＣＰＵ１０は、当該ＲＯＭ１５内のＷＬＡＮ自動設定プログラムを起動実行することにより、後述するようなＷＬＡＮモジュール１１へのＥＳＳＩＤとパスワードの自動設定処理を行う。
【００３１】
〔ＷＬＡＮのＥＳＳＩＤとパスワードの伝送〕
本発明実施形態では、携帯電話端末１がＷＬＡＮアクセスポイント３３に接続するための鍵情報（この例ではＷＬＡＮのＥＳＳＩＤとパスワード）を、ディジタル放送において受信端末を特定したパケットとして用意されているＥＭＭパケット内に埋め込む。そして、そのＥＭＭパケットは、ディジタル放送を通じて当該携帯電話端末１へ伝送される。
【００３２】
ここで、上記ＥＭＭパケットは、ディジタル放送信号から当該ＥＭＭパケットを抽出できる受信端末が予め決められているパケットである。また、ＥＭＭパケットは、当該パケットの受信対象となる端末のＩＣカードモジュール内に格納されている秘密鍵と同じ秘密鍵により暗号化されるパケットである。また、このＥＭＭパケット内にはプライベートセクションと呼ばれているデータ領域が確保されている。
【００３３】
すなわち本実施形態では、受信対象が当該携帯電話端末１となされているＥＭＭパケットのプライベートセクション内に、当該端末１がＷＬＡＮアクセスポイント３３に接続するために必要なＥＳＳＩＤとパスワードをアスキーデータやバイナリデータとして埋め込む。そして、このＥＭＭパケットを、当該携帯電話端末１のＩＣカードモジュール内に格納されている秘密鍵と同じ秘密鍵により暗号化して他の映像等のデータと多重化し、そのディジタル放送信号をディジタル放送装置２２から放送するようになされている。
【００３４】
なお、図３には、国際標準化機構／国際電気標準会議における標準規格（ISO/IEC 13818-1 International Standard）から抜粋したＥＭＭパケットのプライベートセクション（private_section）のデータ構成を示している。上記ＥＳＳＩＤとパスワードは、当該プライベートセクション内のプライベートデータバイト（private_data_byte）内に埋め込まれ、当該プライベートセクションを含むＥＭＭパケットが、携帯電話端末１のＩＣカードモジュール内に記憶されている秘密鍵と同じ秘密鍵により暗号化される。
【００３５】
図４には、本実施形態のディジタル放送システムにおいて、ＥＳＳＩＤとパスワードをＥＭＭパケット内に埋め込んで暗号化し、そのＥＭＭパケットを含むディジタル放送信号を放送する際のフローチャートを示す。すなわちこのフローチャートでは、携帯電話端末１がＷＬＡＮアクセスポイント３３に接続するためのＥＳＳＩＤとパスワードを、ディジタル放送システムの制御装置２１がディジタル放送信号のＥＭＭパケット内に埋め込むと共に当該ＥＭＭパケットを暗号化する。そして、制御装置２１は、その暗号化されたＥＭＭパケットを含むディジタル放送信号を、ディジタル放送装置２２から放送する。
【００３６】
図４において、例えば、ＷＬＡＮ接続用のＥＳＳＩＤとパスワードの放送要請が、携帯電話端末１の契約プロバイダ等の他システム３１から有った場合、又は、携帯電話システム等を通じて携帯電話端末１から直接有った場合、放送システム２の制御装置２１はステップＳ１の処理を行う。すなわち、制御装置２１は、ステップＳ１の処理として、その携帯電話端末１のＩＣカードモジュール１４に記憶されている秘密鍵情報に対応したＥＭＭパケットを、ディジタル放送装置２２が後に放送するディジタル放送信号から抽出する。なお、携帯電話端末１におけるＷＬＡＮの自動設定が迅速に行われるようにするためには、上記ＥＭＭパケットが抽出されるディジタル放送信号は、上記放送要請を受けた後、出来る限り早い時期に放送される番組の信号であることが望ましい。
【００３７】
次に、制御装置２１は、ステップＳ２の処理として、上記携帯電話端末１がＷＬＡＮアクセスポイント３３に接続するのに必要なＥＳＳＩＤとパスワードが登録されているデータベース３２へ外部ネットワーク３０を通じて直接アクセスするか、若しくは、他システム３１を介してアクセスする。そして、制御装置２１は、そのデータベース３２に登録されているＥＳＳＩＤとパスワード（ＷＬＡＮへアクセスするための鍵情報）を取得する。制御装置２１は、当該取得したＥＳＳＩＤとパスワードを、ステップＳ１にて抽出したＥＭＭパケットに代入する。
【００３８】
次に、制御装置２１は、ステップＳ３の処理として、上記ＥＳＳＩＤとパスワードが代入されたＥＭＭパケットを、上記携帯電話端末１のＩＣカードモジュール１４に記憶されている秘密鍵と同じ秘密鍵により暗号化する。すなわち、当該ＥＭＭパケットは、受信端末（端末１）を特定した固有の秘密鍵情報により暗号化されているものであり、その秘密鍵情報（携帯電話端末１のＩＣカードモジュール１４内の秘密鍵情報）を用いないと復号化できないものとなっている。つまり、本実施形態では、受信端末を特定した秘密鍵情報でのみ復号化可能となされたパケットに特定の鍵情報（ＥＳＳＩＤとパスワード）を入れるようにしている。したがって、本実施形態の場合、ディジタル放送を用いた場合であっても、特定の受信端末（携帯電話端末１）に対して特定の秘密情報を安全に送ることができるようになっている。
【００３９】
そして、制御装置２１は、ステップＳ４の処理として、上記ＥＭＭパケットは、映像や制御パケットなどと多重化される。これにより、放送データが生成される。
【００４０】
その後、制御装置２１は、ステップＳ４にて生成された放送データをディジタル放送装置２２へ送る。当該ディジタル放送装置２２からは上記放送データを有する放送信号がディジタル放送として送出されることになる。
【００４１】
〔ＷＬＡＮのＥＳＳＩＤとパスワードの設定〕
図５には、上述のようにディジタル放送信号のＥＭＭパケットに埋め込まれたＥＳＳＩＤとパスワードを、携帯電話端末１にて受信してＷＬＡＮの自動設定を行う際のフローチャートを示す。
【００４２】
図５において、例えばユーザから図示しない操作部等を通じて、ＷＬＡＮシステムへの接続を行うことの要求指示が入力されると、当該携帯電話端末（受信端末）１のＣＰＵ１０は、ステップＳ１１の処理を行う。すなわちＣＰＵ１１は、ＩＣカードモジュール１４に登録されているディジタル放送の契約者情報とディジタル放送信号のスクランブルを解くための受信端末（携帯電話端末１）固有の秘密鍵情報とを読み出す。そして、ＣＰＵ１１は、特に秘密鍵情報についてはＲＡＭ１３の一時バッファに登録する。なお、契約者情報についてはディジタル放送受信部１２へ送り、ディジタル放送の受信の際に使用する。
【００４３】
次に、ＣＰＵ１０は、ステップＳ１２の処理として、ディジタル放送受信部１２が受信してパケットフィルタ１９にて抽出されたＥＭＭパケットを監視する。そして、ＣＰＵ１０は、ステップＳ１３の処理として、ＥＭＭパケットを暗号化した秘密鍵が、ＲＡＭ１３に登録した秘密鍵情報と一致したか監視する。ここで、ＣＰＵ１１は、一致していない場合にはステップＳ１２へ処理を戻して監視を続け、一致した場合にはステップＳ１４へ処理を進める。
【００４４】
ステップＳ１４の処理に進むと、ＣＰＵ１０は、ＲＡＭ１３に登録している秘密鍵を用いて、ＥＭＭパケットを復号化する。すなわちこの場合、ＣＰＵ１０は、前述したように受信端末（携帯電話端末１）を特定した固有の秘密鍵情報により暗号化されているＥＭＭパケットを、その秘密鍵情報（携帯電話端末１のＩＣカードモジュール１４内の秘密鍵情報）を用いて復号化する。
【００４５】
次に、ＣＰＵ１０は、ステップＳ１５の処理として、ステップＳ１４にて復号化したＥＭＭパケットのプライベートセクション内に埋め込まれている鍵情報、つまりＷＬＡＮにアクセスするためのＥＳＳＩＤとパスワードを抽出する。
【００４６】
その後、ＣＰＵ１０は、ステップＳ１６の処理として、ステップＳ１５にて抽出したＥＳＳＩＤとパスワードを、ＷＬＡＮモジュール１１がＷＬＡＮアクセスポイント３３に接続するためのＥＳＳＩＤとパスワードに自動設定する。これにより、ＷＬＡＮモジュール１１はＷＬＡＮアクセスポイント３３に接続可能となる。
【００４７】
〔まとめ〕
以上説明したように、本実施形態においては、受信端末を特定した固有の秘密鍵により暗号化され、その固有の秘密鍵により復号化されるパケット内に、所定の鍵情報を埋め込んで放送により伝送するようにしている。これにより、本実施形態では、受信端末に対して所定の鍵情報を安全に送ることができる。すなわち、本実施形態によれば、外出先等で所望の通信システム等に接続するためのＩＤやパスワード等を、ユーザによる手入力作業を必要とせず、また、セキュリティ面での安全性も確保しつつ簡単且つ容易に設定可能となっている。
【００４８】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００４９】
上述の実施形態では、ＷＬＡＮ等の通信設定のための鍵情報を放送により送信する例を挙げたが、例えば入室用のアンロックキー情報や前売り券を受け取るための鍵情報を放送により送信するような場合にも本発明は適用可能である。この場合、携帯電話端末は、放送信号のＥＭＭパケットから上記入室用のアンロックキー情報や前売り券を受け取るための鍵情報を取り出し、それら鍵情報を用いて入室時のアンロック処理や前売り券を受け取る際の証明処理等を行う。
【００５０】
また、鍵情報（アクセスキーやアンロックキー等）は、無線による放送のみならず、有線により放送される信号内に埋め込むことも可能である。但し、有線による場合でも、受信端末を特定した固有の秘密鍵による暗号化については行われる。
【００５１】
その他、本発明は上述した実施形態に挙げた携帯電話端末に限定されず、所望のシステムを利用するための機能と放送受信機能を備えたＰＤＡ（PDA：Personal Digital Assistants）にも適用可能である。さらに、本発明は、カーナビゲーションシステムや携帯型ＡＶ機器、携帯可能なパーソナルコンピュータ等、様々な移動体端末にも適用可能である。
【図面の簡単な説明】
【００５２】
【図１】本発明実施形態の情報送信設定システムの概略構成を示す図である。
【図２】本実施形態の携帯電話端末の概略構成を示す図である。
【図３】国際標準化機構／国際電気標準会議の標準規格（ISO/IEC 13818-1 International Standard）から抜粋したＥＭＭパケットのプライベートセクション（private_section）のデータ構成を示す図である。
【図４】放送システムにおいて、ＥＳＳＩＤとパスワードをＥＭＭパケット内に埋め込んで暗号化し、そのＥＭＭパケットを含むディジタル放送信号を放送する際のフローチャートである。
【図５】ディジタル放送信号のＥＭＭパケットに埋め込まれたＥＳＳＩＤとパスワードを携帯電話端末にて受信してＷＬＡＮの自動設定を行う際のフローチャートである。
【符号の説明】
【００５３】
１  携帯電話端末、１０  ＣＰＵ、１１  ＷＬＡＮモジュール、１２  ディジタル放送受信部、１３  ＲＡＭ、１４  ＩＣカードモジュール、１５  ＲＯＭ、１９  パケットフィルタ、２０  ディジタル放送システムのネットワーク、２１  ディジタル放送システムの制御装置、２２  ディジタル放送装置、２３  ディジタル放送システムのユーザデータベース、３０  外部ネットワーク、３１  他システム、３２  他システムのデータベース、３３  ＷＬＡＮアクセスポイント
【図１】
2009260579.tif 000003
【図２】
2009260579.tif 000004
【図３】
2009260579.tif 000005
【図４】
2009260579.tif 000006
【図５】
2009260579.tif 000007